(57)【要約】【課題】挿入時に操作しやすく、患者への苦痛を和らげることができるようにしたカテーテルを提供する。【解決手段】臓器に係合するための膨張部３０を有するカテーテル１０において、膨張部３０は収縮時に先側が小径のくさび形になるよう形成した。【選択図】図１
2008093328.tif 000002
【特許請求の範囲】
【請求項１】
臓器に係合するための膨張部を有するカテーテルにおいて、
前記膨張部は収縮時に先側が小径のくさび形になるよう形成したことを特徴とするカテーテル。
【請求項２】
先端部に膨張部として膨張時に気管または気管支を閉塞するカフを有するカテーテルにおいて、
前記カフは、収縮時に先側が小径のくさび形になるよう形成され、膨張時には気管または気管支内で膨張して気管または気管支を閉塞することを特徴とするカテーテル。
【請求項３】
気管支を選択的に閉塞するよう先端部に膨張時に気管支を閉塞する膨張部としてカフを有するカテーテルにおいて、
主管の先端部に前方カフを設け、該前方カフより基端部寄りに後方カフを設けて成り、
前記主管は、第１の空気路と、第２の空気路と、前記前方カフに空気を導通する先空気導通路と、前記後方カフに空気を導通する後空気導通路とを備えて成り、
前記第１の空気路は、先端側で前記前方カフと後方カフとの間に開口し、前記第２の空気路は前記前方カフより先に開口し、
前記後方カフは、膨張したとき気管を閉塞するものであり、
前記前方カフは、収縮時に先側が小径のくさび形になるよう形成され、膨張時には気管支内で膨張して気管支を閉塞することを特徴とするカテーテル。
【請求項４】
前記膨張部は、熱可塑性樹脂による風船状であって、収縮時にくさび形になるよう外力を加えながら加熱することにより、膨張時には風船状になり、収縮時にはくさび形になるようにしたことを特徴とする請求項１、２または３に記載のカテーテル。
【請求項５】
前記膨張部は瘻孔からの抜け止めをするカフであることを特徴とする請求項１に記載のカテーテル。
【発明の詳細な説明】
【技術分野】
【０００１】
本発明は、臓器に係合するための膨張部を有するカテーテルに関する。
【背景技術】
【０００２】
従来の技術としては、例えば特許文献１に示すようなものがある。  
すなわち、同文献には、主管の先端に気管支を閉塞するための膨張部としてカフを有し、収縮させて挿入させた後に該カフを膨張させて気管支を閉塞するようにした技術が開示されている。
【０００３】
【特許文献１】特表２００２−５０５９２５号公報
【発明の開示】
【発明が解決しようとする課題】
【０００４】
しかしながら、このような従来の技術では、収縮時のカフの形状が定まらず、挿入時に操作しにくかったり患者に苦痛を与えたりするおそれがあるという問題点があった。
【０００５】
本発明は、このような従来の技術が有する問題点に着目してなされたもので、挿入時に操作しやすく、患者への苦痛を和らげることができるようにしたカテーテルを提供することを目的としている。
【課題を解決するための手段】
【０００６】
かかる目的を達成するための本発明の要旨とするところは、次の各項の発明に存する。
［１］  臓器に係合するための膨張部（３０）を有するカテーテル（１０）において、
前記膨張部（３０）は収縮時に先側が小径のくさび形になるよう形成したことを特徴とするカテーテル（１０）。
【０００７】
［２］  先端部に膨張部（３０）として膨張時に気管または気管支を閉塞するカフ（３０）を有するカテーテル（１０）において、
前記カフ（３０）は、収縮時に先側が小径のくさび形になるよう形成され、膨張時には気管または気管支内で膨張して気管または気管支を閉塞することを特徴とするカテーテル（１０）。
【０００８】
［３］  気管支を選択的に閉塞するよう先端部に膨張時に気管支を閉塞する膨張部（３０）としてカフを有するカテーテル（１０）において、
主管（２０）の先端部に前方カフ（３０）を設け、該前方カフ（３０）より基端部寄りに後方カフ（４０）を設けて成り、
前記主管（２０）は、第１の空気路（２１）と、第２の空気路（２５）と、前記前方カフ（３０）に空気を導通する先空気導通路（２７）と、前記後方カフ（４０）に空気を導通する後空気導通路（２８）とを備えて成り、
前記第１の空気路（２１）は、先端側で前記前方カフ（３０）と後方カフ（４０）との間に開口し、前記第２の空気路（２５）は前記前方カフ（３０）より先に開口し、
前記後方カフ（４０）は、膨張したとき気管を閉塞するものであり、
前記前方カフ（３０）は、収縮時に先側が小径のくさび形になるよう形成され、膨張時には気管支内で膨張して気管支を閉塞することを特徴とするカテーテル（１０）。
【０００９】
［４］  前記膨張部（３０）は、熱可塑性樹脂による風船状であって、収縮時にくさび形になるよう外力を加えながら加熱することにより、膨張時には風船状になり、収縮時にはくさび形になるようにしたことを特徴とする［１］、［２］または［３］に記載のカテーテル（１０）。
【００１０】
［５］  前記膨張部（３０）は瘻孔からの抜け止めをするカフであることを特徴とする［１］に記載のカテーテル（１０）。
【００１１】
前記本発明は次のように作用する。
カテーテル（１０）は、係合するための膨張部（３０）を収縮させた状態で臓器に挿入する。膨張部（３０）は収縮時に先側が小径のくさび形になっているので挿入時に細い方から挿入箇所にいれられるので必要な位置に円滑に挿入することができる。
【００１２】
挿入してから膨張部（３０）に空気を導入して所定の大きさに膨らませれば要所に容易に係合させることができる。
【００１３】
カテーテル（１０）は例えば気管支を閉塞するものであり、当該用途のカテーテル（１０）では、先端部に膨張部（３０）として設けられたカフ（３０）を、収縮時に先側が小径のくさび形に形成し、気管から気管支に挿入する。
【００１４】
挿入時の際、カフ（３０）を細い方から挿入箇所である気管から気管支にいれられるので必要な位置に円滑に挿入することができる。位置を定めてからカフ（３０）に空気を導入すれば気管支内で膨張して気管支が閉塞される。
【００１５】
カテーテル（１０）は、カフ（３０）により気管支を選択的に閉塞する。カテーテル（１０）の先端部の前方カフ（３０）が膨張時に気管支を閉塞する。気管および気管支への挿入時には、主管（２０）の先端部の前方カフ（３０）を先側が小径のくさび形に形成し、前方カフ（３０）より基端部寄りの後方カフ（４０）は収縮させて先端側から気管に挿入する。
【００１６】
前方カフ（３０）がくさび形をしているので、カテーテル（１０）の先端側は気管を経て二又の気管支の目的とする一方の気管支に容易に挿入することができる。挿入して位置を決めた後に後方カフ（４０）に空気を導入すると気管が閉塞され、前方カフ（３０）に空気を導入すると当該箇所の一方の気管支が閉塞される。
【００１７】
閉塞されなかった気管支へは、主管（２０）の第１の空気路（２１）から空気が流通可能となる。すなわち、先端側で前方カフ（３０）と後方カフ（４０）との間に開口した第１の空気路（２１）から閉塞されなかった気管支に空気が流通可能となる。また、閉塞された気管支にも第２の空気路（２５）から空気の流通は可能である。
【００１８】
第２の空気路（２５）が前方カフ（３０）より先に開口して閉塞された気管支に導通しており、第２の空気路（２５）を通じて閉塞された肺または気管支を施術したりして加療する。
【００１９】
膨張部（３０）である前方カフ（３０）は、熱可塑性樹脂による風船状に形成されており、収縮時にくさび形になるよう外力を加えて加熱してあるので、膨張時には風船状になり、収縮時にはくさび形になる。
【００２０】
膨張部（３０）は瘻孔からの抜け止めをするカフにも適用することができ、先側が細くなっているくさび形であることから、挿入しやすく取り扱いが容易であり、加療や施術の円滑さと安全性を高めることができる。
【発明の効果】
【００２１】
本発明にかかるカテーテルによれば、臓器と係合するカフやバルーン等の膨張部を収縮時にくさび形にして挿入するので、挿入が容易であり、施術や施療を迅速に行うことができる。挿入が容易で患者に負担を掛けることがなく、医療事故の発生の心配もなくなる。
【発明を実施するための最良の形態】
【００２２】
以下、図面に基づき本発明の好適な一実施の形態を説明する。  
図１〜図５は本発明の一実施の形態を示している。  
カテーテル１０は、臓器に係合するための膨張部として前方カフ３０を有しており、膨張部たる前方カフ３０は収縮時に先側が小径のくさび形になるよう形成され、膨張時には気管支内で膨張して気管支を閉塞するものである。
【００２３】
すなわち、カテーテル１０は、主管２０の先端部に前方カフ３０を設け、前方カフ３０より主管２０の基端部寄りに後方カフ４０を設けてある。
【００２４】
膨張部たる前方カフ３０は、熱可塑性樹脂による風船状であって、収縮時に先端部３１が小径で、基端部３２が大径のくさび形になるよう外力を加えながら加熱することにより、膨張時には風船状になり、収縮時にはくさび形になるようになっている。
【００２５】
そして、主管２０の横断面を示す図５でわかるように、主管２０は、その断面に第１の空気路２１と、第２の空気路２５と、前方カフ３０に空気を導通する先空気導通路２７と、後方カフ４０に空気を導通する後空気導通路２８とを備えて成る。
【００２６】
第１の空気路２１は、主管２０の先端側で前方カフ３０と後方カフ４０との間に後通気口２２が開口し、第２の空気路２５は前方カフ３０より先に先通気口２６が開口している。後方カフ４０は、膨張したとき気管を閉塞するものであり、前方カフ３０は、収縮時に先端部３１が小径で基端部３２が大径のくさび形になるよう形成され、膨張時には気管支内で膨張して気管支を閉塞するものである。
【００２７】
主管２０の第１の空気路２１の基端側には第１通気口２３が接続され、第２の空気路２５の基端側には第２通気口２４が接続されている。一般的には、第１通気口２３は健全な肺である気管支に第１の空気路２１の後通気口２２から空気を導通させるものであり、第２通気口２４は、治療を加えるべき肺または気管支に第２の空気路２５の先通気口２６から導通するものである。
【００２８】
先空気導通路２７には、主管２０の基端側で先空気チューブ５１が接続され、後空気導通路２８には後空気チューブ５５が接続されており、先空気チューブ５１には先中継袋５２が接続され、先中継袋５２には逆止弁５４付きの先空気導入口５３が設けられ、後空気チューブ５５には後中継袋５６が接続され、後中継袋５６には逆止弁５８付きの後空気導入口５７が設けられている。
【００２９】
次に作用を説明する。  
カテーテル１０は、係合するための膨張部である前方カフ３０と後方カフ４０を収縮させた状態で臓器に挿入する。膨張部たる前方カフ３０は収縮時に先端部３１が小径で基端部３２が大径のくさび形になっているので挿入時に細い方から挿入箇所にいれられるので必要な位置に円滑に挿入することができる。
【００３０】
挿入してから膨張部である前方カフ３０と後方カフ４０に空気を導入して所定の大きさに膨らませれば要所に容易に係合させることができる。
【００３１】
カテーテル１０は例えば気管支を閉塞するものであり、カテーテル１０では、先端部に膨張部として設けられた前方カフ３０を、収縮時に先端部３１が小径で基端部３２が大径のくさび形に形成し、気管から気管支に挿入する。
【００３２】
挿入時の際、前方カフ３０を細い方から挿入箇所である気管から気管支にいれられるので必要な位置に円滑に挿入することができる。位置を定めてから空気を導入すれば気管支内で膨張して気管支が閉塞される。
【００３３】
すなわち、位置が定まってから、先空気導入口５３から空気を注入すれば、先中継袋５２、先空気チューブ５１、先空気導通路２７から前方カフ３０に空気が入り、前方カフ３０が膨張する。空気の注入を止めても逆止弁５４が空気の逆流を防止するので後方カフ４０は膨張状態を維持する。同様に、後空気導入口５７から空気を注入すれば、後中継袋５６、後空気チューブ５５、後空気導通路２８から後方カフ４０に空気が入り、後方カフ４０が膨張する。空気の注入を止めても逆止弁５８が空気の逆流を防止するので後方カフ４０は膨張状態を維持する。
【００３４】
前方カフ３０がくさび形をしているので、カテーテル１０の先端側は気管を経て二又の気管支の目的とする一方の気管支に容易に挿入することができる。挿入して位置を決めた後に後方カフ４０に空気を導入すると気管が閉塞され、前方カフ３０に空気を導入すると当該箇所の一方の気管支が閉塞される。
【００３５】
すなわち、カテーテル１０は、前方カフ３０と後方カフ４０により気管支を選択的に閉塞する。カテーテル１０の先端部の前方カフ３０が膨張時に一方の気管支を閉塞する。
【００３６】
閉塞されなかった気管支へは、主管２０の第１の空気路２１から空気が流通可能となる。すなわち、先端側で前方カフ３０と後方カフ４０との間に開口した第１の空気路２１から閉塞されなかった気管支に空気が流通可能となる。また、閉塞された気管支にも第２の空気路２５から空気の流通は可能である。
【００３７】
第２の空気路２５が前方カフ３０より先に開口して閉塞された気管支に導通しており、第２の空気路２５を通じて閉塞された肺または気管支を施術したりして加療する。
【００３８】
膨張部である前方カフ３０は、熱可塑性樹脂による風船状に形成されており、収縮時にくさび形になるよう外力を加えて加熱してあるので、膨張時には風船状になり、収縮時にはくさび形になっている。
【００３９】
カテーテル１０を取り出すときは、逆止弁５４を操作して空気を抜けば前方カフ３０が収縮し、逆止弁５８を操作すれば後方カフ４０が収縮する。細身になったカテーテル１０は容易に取り出すことが出来る。
【００４０】
なお、膨張部は瘻孔からの抜け止めをするカフにも適用することができ、先側が細くなっているくさび形であることから、挿入しやすく取り扱いが容易であり、加療や施術の円滑さと安全性を高めることができる。
【図面の簡単な説明】
【００４１】
【図１】本発明の一実施の形態に係るカテーテルを、前方カフを収縮させて示した正面図である。
【図２】本発明の一実施の形態に係るカテーテルを、前方カフを膨張させて示した正面図である。
【図３】本発明の一実施の形態に係るカテーテルの先端部を、前方カフを収縮させて示した拡大平面図である。
【図４】本発明の一実施の形態に係るカテーテルの先端部を、前方カフを膨張させて示した拡大平面図である。
【図５】本発明の一実施の形態に係るカテーテルの主管の拡大横断面図である。
【符号の説明】
【００４２】
１０…カテーテル
２０…主管
２１…第１の空気路
２２…後通気口
２３…第１通気口
２４…第２通気口
２５…第２の空気路
２６…先通気口
２７…先空気導通路
２８…後空気導通路
３０…前方カフ
３１…先端部
３２…基端部
４０…後方カフ
５１…先空気チューブ
５２…先中継袋
５３…先空気導入口
５４…逆止弁
５５…後空気チューブ
５６…後中継袋
５７…後空気導入口
５８…逆止弁
【図１】
2008093328.tif 000003
【図２】
2008093328.tif 000004
【図３】
2008093328.tif 000005
【図４】
2008093328.tif 000006
【図５】
2008093328.tif 000007